(57)【要約】  本発明は、飛翔体用の空気圧縮型のエンジンに関する。従来の航空機用のエンジンは、構造が複雑であり、高価な航空機用の燃料を消費し、操作中において極めて大きな雑音を生み出す。従って、本発明は、圧力室内の高温及び高圧のガスを発生するためのターボ過給機を備えた空気圧縮機を使用し、航空機を垂直方向に離陸／着陸、又は空気中に浮遊、前方に飛行させるためにノズルを通じて圧縮空気を排出することによって発生する反力である推進力を使用する。単純な構造から恩恵によって、航空機のエンジンの製造コストは、著しく低減することができる。航空機の垂直方向の上昇及び着陸は、圧力室内の圧縮空気の方向付けられた排出を変化させることによって、達成させることができる。コストを抑制し、且つ高い燃焼値と共に燃焼できる一般的に使用させるガソリン又はディーゼルは、高価な航空燃料の代わりに使用されることができる。さらに、発生される雑音は、かなり小さい。上記の構成によって、例えば車のようにジェット型の有人の航空機を製造することが可能であり、航空機を垂直方向に離陸／着陸するために一般人によって操作されることができ、単純な操作手順を介して市街地領域に便利に輸送することができる。
2008540983.tif 000002
【特許請求の範囲】
【請求項１】
吸気ポート、ターボ過給機を備えた空気圧縮機、燃焼室、及び後部ノズルを備えている飛翔体用の空気圧縮型エンジンであって：
圧力室が、前方に飛行するための推進力を与えるための前記後部ノズルと前記燃焼室との間に配置され；
前記ターボ過給機を備えた空気圧縮機が、前方伝達軸に結合されている吸気タービン、大型過給タービン、及び小型過給タービンを含み、後方伝達軸に結合されている前方駆動タービン及び後方駆動タービンをさらに含み；
変速ギアボックスが前記前方伝達軸と前記後方伝達軸との間に配置され、前記燃焼室が前記変速ギアボックスの後方に配置され、ノズル部材が前記燃焼室の前端部に配置され；
前記吸気タービン及び前記大型過給タービンによって数段階に亘って加圧された後に、空気の大部分は主吸気路に流入する一方で、前記空気の残りは前記小型過給タービンによってさらに加圧された後に副吸気路に流入し；
前記副吸気路に流入した前記空気は、強力な爆発燃焼を生じさせるために前記燃焼室の前方部で燃料ノズルによって噴射された燃料と混合され、前記主吸気路に流入した空気は、前記燃焼室の後部で爆発燃焼している状態でガスに混合され、空気中の酸素は、残留した未燃焼燃料を容易に燃焼し；
爆発燃焼によって発生する高温高圧のガスは、前記前方駆動タービンを駆動し回転させるために排出フェンスの排気ポートを介して排気され、その後に、前記後方駆動タービンを駆動し回転させるために前記後方駆動タービンのカバーの吸気ポートを通過し、最後に圧力室に流入し；
前記前方駆動タービン及び前記後方駆動タービンの回転によって発生する大きなトルクは、前記後方伝達軸を介して前記変速ギアボックスに作用し、前記前方伝達軸の回転速度を高めることによって、前記前方伝達軸に結合された前記吸気タービン、前記大型過給タービン、及び前記小型過給タービンを高速で回転させ、より多くの空気を吸気して、これにより高い圧力が発生し、吸気された空気は強制的に前記主吸気路及び前記副吸気路を通過され、前記燃焼室に流入され；
前記圧力室内に流入した高温高圧のガスは、航空機を前方に飛行させるために前記後部ノズル部材を介して排出可能とされるか、又は前記航空機を垂直方向に離陸／着陸させ、減速させ、空中に浮遊させ、又は低速で前後左右に移動させるために前記下部ノズル部材を介して排出可能とされることを特徴とする空気圧縮型エンジン。
【請求項２】
前記排出フェンスが前記燃焼室の底部に配置され、前記排出フェンスの前記排気ポートは、前記排出フェンスの平面に対して６０°の角度を成し、前記排出フェンスの前記排気ポートの全面積は、前記排出フェンスの面積の３分の１であり、それにより燃焼室内に発生する高温且つ高圧の空気流は、所定の角度で排出され、より効果的に前記前方駆動タービンに作用され；
高温に対する耐性を有する断熱材のカバーが前記後方伝達軸上に配置され、前記後方伝達軸が燃焼することを防止し、それにより前記後方伝達軸の動作寿命を延ばし；
タービンカバーが前記後方駆動タービン上に配置され、前記後方駆動タービンには６つの吸気ポートが開口され、６つの前記吸気ポートの全面積が前記排出フェンス上の前記排気ポートの全面積と等しく、前記後方駆動タービンの吸気ポートを介して排出される前記空気流は、前記後方駆動タービンをさらに回転駆動させ、前記後方駆動タービンの前記排気ポートを介して前記圧力室内に流入し；
この構成によって、前記燃焼室内の温度及び圧力が著しく大きくなり、燃料の爆発燃焼によって発生するエネルギーが最大限に前記前方駆動タービン及び前記後方駆動タービン上に作用し、それにより前記ターボ過給機を備えた空気圧縮機が前記圧力室内に最大圧力を発生させ、空気流が排出されることによって、より効率的に航空機を離陸／着陸及び飛行させるように駆動することを特徴とする請求項１に記載の空気圧縮型エンジン。
【請求項３】
前記航空機のメイン支持フレームは、中空であり、エンジンの前記圧力室の一部として形成され、２つの部分、すなわち中空の左側メイン支持フレーム及び中空の右側メイン支持フレームに分割され；
これにより前記航空機の内部空間を効率的に使用可能となり、前記エンジンによって占有される内部容積を低減可能とされ；
前記圧力室が中空の左側メイン支持フレームに接続され、中空の右側メイン支持フレーム及び下部ノズル部材が切替部材を介して前記中空の左側メイン支持フレームに接続され、後部ノズル部材が前記中空の右側メイン支持フレームの端部に設けられ；
前記切替部材は、前記中空の左側メイン支持フレームを通過して前記中空の右側メイン支持フレームに向かって流し、その後に前記航空機を前方に飛行させるために前記後部ノズルから排出されるように、前記圧力室内の高圧の空気流を制御するか、又は前記中空の左側メイン支持フレームを通過して前記下部ノズル部材に向かって流し、その後に前記下部ノズルグループから排出されるように、前記圧力室内の前記高圧の空気流を制御し；
前記下部ノズルグループを備えた前記下部ノズル部材の平面は、前記下部ノズルグループが全方位に前記空気流を排出可能となるように適切に前後左右の方向に偏向可能であり、それにより前記航空機を離陸／着陸、減速、浮遊、低速で前後左右に移動させるために駆動可能とされることを特徴とする請求項２に記載の空気圧縮型エンジン。
【請求項４】
下部ノズルグループから成る複数の小型ノズル（実際的要求に応じて変更可能な、一般に４列に配置された１６個のノズル）は、航空機の下方に排出された空気流の空気排出領域を拡大させるために前記下部排出部材の空気排出面内に設けられ；
この構成によって、前記航空機の前記下面に排出された前記空気流が地面に作用させる力は大幅に低減され、上昇するための航空機の支持領域は増加され、それにより離陸／着陸のプロセスの際の操縦が容易且つ安定化されることを特徴とする請求項３に記載の空気圧縮型のエンジン。
【請求項５】
右前部ノズル部材、左前部ノズル部材、右後部ノズル部材、及び左後部ノズル部材は、前記圧力室上に設けられ、
前記ノズル部材のそれぞれには、制御部及び空気流切替バルブを設けられ、
前記制御部は、１８０°に亘り前方、下方、及び後方に回転させ、且つ僅かに左右に偏向させるように前記ノズル部材を制御するために使用され；
前記後部ノズル部材は、前記航空機が前方に飛行することを可能とし、
４つの他のノズル部材によって発生される反力が、航空機を離陸／着陸、減速、浮遊、前後左右から低速で移動させることができることを特徴とする請求項２に記載の空気圧縮型のエンジン。
【請求項６】
前記空気流切替バルブは、シャッターバルブ及び調整バルブから成り：
前記シャッターバルブのバルブスプールは、楔状部材であり、前記高圧空気の吸気ポートが前記バルブスプールと通路の壁との間における熱的な収縮／膨張の割合の差に起因して堅固に閉じられるという問題を解消し；
前記バルブスプールが高圧空気の吸気ポートの前方を遮断し、前記バルブスプールの面積が高圧空気の吸気ポートの面積の３分の１よりも大きいので、前記圧力室内の高圧空気の圧力は調整バルブのバルブスプールには直接的に作用せず、それにより前記バルブスプールが常に高圧状態のままであるということを原因として、調整バルブのねじ部が損傷されることによって生じる高圧空気の自動的な排出を防止し；
前記調整バルブの前記バルブスプールは、円錐台状部材であり、前記調整バルブの前記バルブシャフトの中間部に固定され、前記調整バルブの前記バルブ本体は対応するシール面を備え、前記調整バルブの前記バルブシャフトの前部及び後部は前記調整バルブの前記バルブ本体のねじ部と係合し；
前記調整バルブの前記バルブシャフトは、密封ねじ部を備え、前記ノズルが閉鎖された場合に、前記調整バルブの前記バルブシャフトに結合された駆動モータは、前記バルブシャフトが前方へ移動するように駆動開始し、その後に高圧ガスのための吸気ポート及びノズルを閉鎖することにより、前記圧力室内の高圧空気が前記ノズルを通じて排出されることを防止し；
前記調整バルブの前記バルブスプールは、密封ねじ部を有する円筒状部材をその前端部に備えている円錐台状部材であり、前記調整バルブの前記バルブシャフトに固定され、且つ前記通路のねじ部と共に締め付け可能であり、その結果として前記調整バルブの前記バルブスプールは前記高圧空気のための吸気ポートを確実に閉鎖可能とされ；
前記シャッターバルブの前記バルブシャフトのナットと前記調整バルブの前記バルブシャフトのナットとの両方が、前記排出される空気流を制御及び調整するために前記駆動モータによって駆動されることを特徴とする請求項５に記載の空気圧縮型エンジン。
【発明の詳細な説明】
【技術分野】
【０００１】
本発明は、タービンジェットエンジンタービンジェットエンジンに関し、特に飛翔体用の空気圧縮型エンジンに関する。
【背景技術】
【０００２】
現在における既知のタービンジェットエンジンは、吸気タービン（intake turbo）によって吸気し、燃焼室内での航空燃料（aviation kerosene）の燃焼によって発生した熱によって、吸気された空気を暖め、暖められて膨脹した後に吸気された空気を後方に急速に排出し、その後反力を利用することにより、飛翔体を前方に飛行させることができる。そのようなエンジンにおいて、以下のような幾つかの不利点が存在する。
【０００３】
（１）．エンジンの構成は非常に複雑であり、その製造コストは極めて高い。その構造が非常に単純で製造コストが低く、一般的な車両で使用される内燃エンジンとは異なり、飛翔体用ジェットエンジンは一般に最大数百万ドルのコストを要し、飛翔体の製造及び利用を否定的に制限する。
【０００４】
（２）．燃焼室内で暖められた直後に空気された空気を後方に向かって急速に排出するためには、燃料が急速に燃焼され、良好な効率を有していることが必要とされる。その結果として、コストを抑え、且つ高い燃焼値で燃焼可能である一般に使用されるガソリン又はディーゼルではなく、低い燃焼値で燃焼可能な高価な航空燃料のみが利用可能である。
【０００５】
（３）．燃焼室内で暖められた直後に吸気された空気を後方に向かって急速に排出することによって、高いエネルギーを有した状態で排出された空気流は安定せず、その排出方向に関する前記空気流の制御は困難を伴うものとなる。この問題を克服するために、過度に複雑な空気流の排出方向を変化させることによって飛翔体を垂直方向に上昇／下降させる技術が開発された。上記の問題は大規模な人的資源及び物的資源によって解決されたが、飛翔体の操作がさらに困難になったので、その適用性及び受容性は悪化した。１つの明白な例として、高コストの垂直離着陸戦闘機である英国の“ハリアー（HARRIER）”が挙げられる。英国のエンジニアが、莫大なコストを利用し空気流の方向を変化させることによって、飛翔体を垂直方向に上昇／下降させるための困難な問題を解決し、さらには適格なパイロットが厳選に厳選を重ねて選ばれ、“ハリアー”を操作するための訓練を施されたが、“ハリアー”の事故率は他の種類の戦闘機よりも著しく高く、失われた“ハリアー”の大部分は、“ハリアー”の複雑な操縦手順に起因して偶発的に墜落したものである。
【０００６】
（４）．従来の飛翔体用のジェットエンジンでは、燃焼室を隔離することができない。このために、燃焼室内で燃料を急激に燃焼させることによって生じる大きな騒音は排出される空気流と共に外界（outside）に直接伝播されるので、市街地から数マイル離れた場所に空港を建設せざるを得ない。例えは、アメリカのトマホーク巡航ミサイル（TOMAHAWK Cruise Missile）に採用された小型飛翔体用のエンジンのような、小型の飛翔体用のエンジンでさえ、その動作中に人々の神経に障るような大騒音を発生させる。
【発明の開示】
【発明が解決しようとする課題】
【０００７】
［本発明の内容］
本発明の目的は、従来の航空機用ジェットエンジンの上記問題を解決し、航空機用の空気圧縮型エンジンを提供することである。
【課題を解決するための手段】
【０００８】
上記の問題を解決するために、吸気ポート、ターボ過給機を備えた空気圧縮機、燃焼室、及び後部ノズルを備えている航空機用の空気圧縮型エンジンであって：圧力室が、前方に飛行するための推進力を与えるための前記後部ノズルと前記燃焼室との間に配置され；前記ターボ過給機を備えた空気圧縮機が、前方伝達軸に結合されている吸気タービン、大型過給タービン、及び小型過給タービンを含み、後方伝達軸に結合されている前方駆動タービン及び後方駆動タービンをさらに含み；変速ギアボックスが前記前方伝達軸と前記後方伝達軸との間に配置され、前記燃焼室が前記変速ギアボックスの後方に配置され、ノズル部材が前記燃焼室の前端部に配置され；前記吸気タービン及び前記大型過給タービンによって数段階に亘って加圧された後に、空気の大部分は主吸気路に流入する一方、空気の残りは小型過給タービンによってさらに加圧された後副吸気路に流入し；前記副吸気路に流入した空気は、強力な爆発燃焼を生じさせるために前記燃焼室の前方部で燃料ノズルによって噴射された燃料と混合され、前記主吸気路に流入した空気は、前記燃焼室の後部で爆発燃焼している状態でガスに混合され、空気中の酸素は、残留した未燃焼燃料を容易に燃焼し；爆発燃焼によって発生する高温且つ高圧のガスは、前記前方駆動タービンを駆動し回転させるために排出フェンスの排気ポートを介して排出され、その後に前記後方駆動タービンを駆動し回転させるための前記後方駆動タービンのカバーの吸気ポートを通過し、最後に圧力室に流入し、前記前方駆動タービン及び前記後方駆動タービンの回転によって発生する大きなトルクは、前記後方伝達軸を介して前記変速ギアボックスに作用し、前記前方伝達軸の回転速度を高めることによって、前記前方伝達軸に結合された前記吸気タービン、前記大型過給タービン、及び前記小型過給タービンを高速で回転させ、より多くの空気を吸気して、これにより高い圧力を発生し、吸気された空気は強制的に前記主吸気路及び前記副吸気路を通過され、且つ前記燃焼室に流入され；前記圧力室内に流入した高温且つ高圧のガスは、航空機を前方に飛行させるために前記後部ノズル部材を介して排出可能とされることを特徴とする航空機用の空気圧縮型のエンジンである。
【０００９】
上記の構成によって、本発明は、圧力室における高温及び高圧のガスを発生するためにターボ過給機を備えた空気圧縮機を使用し、航空機を垂直方向に離陸／着陸、空気中に浮遊、及び前方に飛行させるためにノズルを介して圧縮空気を排出することによって発生される反推進力（reaction thrust force）を使用する。単純な構造からの利益を享受されることによって、航空機のエンジンの製造コストが劇的に減少されることができる。航空機の垂直方向への上昇及び着陸は、圧力室内の圧縮空気の排出方向及び流速を変化することによって達成させることができる。コストを抑制し、且つ高い燃焼値の状態で燃焼が可能である一般的に使用されるガソリン又はディーゼルは、高価な航空燃料を使用する代わりに使用されることができる。さらに、発生される雑音はかなり小さい。上記の構成によって、車のようなジェットタイプの有人の小型航空機を製造することが可能になり、垂直方向に離陸／着陸するために一般人によって操作され、且つ単純な操作手順を介して市街地領域内に便利に輸送することができる。
【００１０】
前記排出フェンスが前記燃焼室の底部に配置され、前記排出フェンスの前記排気ポートは、前記排出フェンスの平面に対して６０°の角度を成し、前記排出フェンスの前記排気ポートの全面積は、前記排出フェンスの面積の３分の１であり、それにより燃焼室内に発生する高温且つ高圧の空気流は、所定の角度で排出され、より大きい推進力を発生させるためにより効果的により大きい圧力で前記前方駆動タービン上に作用され；高温に対する耐性を有する断熱材のカバーが前記後方伝達軸上に配置され、前記後方伝達軸が燃焼することを防止し、それにより前記後方伝達軸の動作寿命を延ばし；後方駆動タービンカバーが前記後方駆動タービン上に配置され、前記後方駆動タービンには６つの吸気ポートが開口され、６つの前記吸気ポートの全面積が前記排出フェンス上の前記排気ポートの全面積と等しく、前記後方駆動タービンの吸気ポートを介して排出される前記空気流は、前記後方駆動タービンをさらに回転駆動させ、且つ前記後方駆動タービンの排気ポートを介して前記圧力室内に流入し；この構成によって、前記燃焼室内の温度及び且つ圧力が著しく大きくなり、燃料の爆発燃焼によって発生する高温且つ高圧の空気流は、最適の角度で最も効果的に前方駆動タービン及び後方駆動タービン上に作用することができ、それによりターボ過給機を備えた空気圧縮機が圧力室内のより高い圧力を発生させることができる。
【００１１】
より具体的には、航空機の前記メイン支持フレームは、中空であり、エンジンの圧力室の一部として形成され、２つの部分、すなわち中空の左側メイン支持フレーム及び中空の右側メイン支持フレームに分割される。これにより前記航空機の内部空間を効率的に使用可能となり、前記エンジンによって占有される内部容積を低減可能とされる。前記圧力室は、中空の左側メイン支持フレームに連通し、中空の右側メイン支持フレームが切替部材を介して前記中空の左側メイン支持フレーム及び下部ノズル部材に接続され、後部ノズル部材が前記中空の右側メイン支持フレームの端部に設けられ；前記切替部材は、前記中空の左側メイン支持フレームを通過して前記中空の右側メイン支持フレームに向かって流し、その後に前記航空機を前方に飛行させるために前記後部ノズルから排出されるように、方へ前記圧力室内の高圧の空気流を制御するか、又は前記中空の左側メイン支持フレームを通過して前記下部ノズル部材に向かって流し、その後に前記下部ノズルグループから排出されるように、前記圧力室内の前記高圧の空気流を制御することができる。前記下部ノズルグループを備えた前記下部ノズル部材の前面は、前記下部ノズルグループが全方位に前記空気流を排出可能である適切な前後左右の方向に偏向可能であり、それにより前記航空機を離陸／着陸、減速、浮遊、ゆっくりと前後左右に移動させるために駆動可能である。
【００１２】
下部ノズルグループから成る複数の小型ノズル（実用的要求に応じて変更可能な、一般的に４列に配置された１６個のノズル）は、航空機の下方に排出された空気流の空気排出領域を拡大させるために前記下部排出部材の空気排出面内に設けられる。この構成によって、前記航空機の前記下面に排出された前記空気流が地面に作用される力は、大幅に低減され、上昇するための航空機の支持領域は増加させ、それにより離陸／着陸のプロセスの際の操縦が容易且つ安定化される。
【００１３】
後部ノズル部材が航空機の前方への移動のために推進力を提供する働きをしている状態で、航空機を上昇／下降、減速、空中での浮遊、及び前後左右に僅かに移動させるための推進力を提供している下部ノズル部材は、実用的要求に応じて後述している方法で、代替方法で設計されることもできる。
【００１４】
より具体的には、右前部ノズル部材、左前部ノズル部材、右後部ノズル部材、及び左後部ノズル部材は前記圧力室上に設けられている。前記ノズル部材のそれぞれは、制御部及び空気流切替バルブを備えている。前記制御部は、前記ノズル部材を１８０°に亘り前方、下方、及び後方に回転するように制御するために使用される。前記後部ノズル部材は、航空機が前方に飛行することを可能にし、４つの別のノズル部材によって発生される反力が、航空機を垂直方向に減速、浮遊、離陸／着陸するために駆動することができる。そのような構成によって、４つのノズル部材が航空機に適用される場合に、上述した４つの下部ノズルは、垂直方向に離陸するために下方に空気流を排出し、推進力を増加するために後方に空気流を排出し、且つ航空機を減速するために前方に空気流を排出する。（航空機が離陸しようとする場合に、４つのノズル部材は、開口され、下方へ面している垂直方向に調節される。その後エンジンが始動し、且つ付随しているノズルの空気流は、航空機を安定して離陸させるために航空機の状態により調整される。航空機が５ｍ又はそれよりも高く地面の上方に上昇する場合、４つの下部排出ノズル部材の排出方向は、上方及び前方の合成力を発生するように後方へ回転し、且つ所定の角度で上方へ及び前方へ航空機を飛行させる。航空機は所定の高度に上昇する場合に、４つの下部排出ノズル部材の排出方向を１８０°後方に回転させる。後部ノズル部材は、４つの下部ノズル部材が航空機を水平に飛行させるために徐々に閉じる間に徐々に開口される。４つの下部ノズル部材が完全に閉じるとすぐに、後部ノズル部材が完全に開口され、その後一般的なジェット型の飛行機を操作するための方法で、操縦者は航空機を操作することができる。航空機が着陸しようとする場合、４つの下部ノズル部材の排出方向が前方へ回転される。後部ノズル部材は、４つの下部ノズル部材が徐々に開口される間に徐々に閉じられ、徐々に航空機を減速させる。４つのノズルが完全に開口されるとすぐに、後部ノズル部材が完全に閉じる。航空機が所定の速度に減速された場合に、４つの下部ノズル部材の排出方向は徐々に後方に回転されることができ、従って、上方及び下方の合成推進力を発生し、徐々に航空機を減速させ、且つ徐々に降下させ；その後、４つの下部ノズル部材の排出方向は、下方に回転されることができ、それらの排出速度は、垂直方向に低速で航空機を着陸させる。）これは、航空機の適用性及び運動性を改善する。
【００１５】
より具体的には、前記空気流切替バルブは、シャッターバルブ及び前記調整バルブから成り、以下の点で特徴付けられる：
【００１６】
１．前記シャッターバルブのバルブスプールは、楔状の部材であり、前記高圧空気の吸気ポートが前記バルブスプールと通路の壁との間における熱的な収縮／膨張の割合の差に起因して堅固に閉じられるという問題を解消し；前記バルブスプールが、高圧の空気の吸気ポートの前方を遮断し、前記バルブスプールの面積は、高圧の空気の吸気ポートの面積よりも３分の１よりも大きいので、前記圧力室内の高圧空気の圧力は、調整バルブのバルブスプール上に直接的に作用せず、それにより前記バルブスプールが常に高圧状態のままであるということを原因として、調整バルブのねじ部が損傷されることによって生じる高圧空気の自動的な排出のために起こることを防止する；
【００１７】
２．前記調整バルブの前記バルブシャフトの中間部に固定され、前記調整バルブの前記バルブ本体は対応するシール面を備え、前記調整バルブの前記バルブシャフトの前部及び後部は前記調整バルブの前記バルブ本体のねじ部と係合し、前記調整バルブの前記バルブシャフトには、密封ねじ部が設けられる。ノズルが開口される場合に、最初にシャッターバルブに結合される駆動モータはシャッターバルブのシャフトを上昇させ始め、シャッターバルブを上方に移動するようにさせ、高圧の空気のために吸気ポートを最終的に開口する。その時に、調整バルブのバルブシャフトに結合される駆動モータは、後方へ移動するために調整バルブのバルブシャフトを調整し始める。これは、高圧の空気のための吸気ポート及びノズルを開口させ、その後圧力室内の高圧の空気はノズルから排出される。調整バルブのバルブスプールが円錐台状部材であるので、バルブスプールの後方の移動長さは、高圧の圧力室から排出された高圧の空気の流速を決定することができ、それによりノズルから発生される推進力を制御することができる。
【００１８】
前記ノズルが閉鎖された場合に、前記調整バルブの前記バルブシャフトに結合された駆動モータは、前記バルブシャフトが前方へ移動するように駆動開始し、その後に高圧ガスのための吸気ポート及びノズルを閉鎖することにより、前記圧力室内の高圧空気が前記ノズルを通じて排出されることを防止する。前記調整バルブの前記バルブスプールは、密封ねじ部を有する円筒状部材をその前端部に備えている円錐台状部材であり、前記調整バルブの前記バルブシャフトに固定され、且つ前記通路のねじ部と共に締め付け可能であり、その結果として前記調整バルブの前記バルブスプールは前記高圧空気のための吸気ポートを確実に閉鎖可能とされる；
【００１９】
３．前記シャッターバルブの前記バルブシャフトのナットと前記調整バルブの前記バルブシャフトのナットとの両方が、前記排出される空気流を制御及び調整するために前記駆動モータによって駆動される。
【発明の効果】
【００２０】
上記の技術的解決方法を用いることによって、本願発明は以下の利点を有する：
【００２１】
（１）．本発明のターボ過給機を備えた空気圧縮機の構造は、相当単純になり、吸気タービン、大型過給タービン、小型過給タービン、前方駆動タービン、後方駆動タービン、変速ギアボックス、燃焼排出部材、燃料チャンバーの壁、空気排出フェンス、及び後方駆動タービンのカバーで構成される。それによって、飛翔体のための空気圧縮型エンジンの製造コストは低くなり、頑丈なトラック（heavy-duty truck）のための一般的な内部燃焼エンジンのように単純で安価であり、航空機の大衆性を手助けする。
【００２２】
（２）．本発明のターボ過給機を備えた空気圧縮機によって発生される高圧の空気流は、すぐに外部に排出されず、代わりに航空機の圧力室に排出され、圧力室内の高温且つ高圧のガスを発生している。従って、空気流は、比較的長い時間間隔で十分な環境の高温、高圧、及び酸素の状態のままであることができる。従って、燃料は最大限に燃焼することができ、且つ最小限のエネルギーを解放することができ、燃料の効率を著しく増加する。この方法において、燃料によって発生される排気ガスによる環境に対する汚染は、低減することができ、低価格を除いて高い燃料値である一般的に使用されるガソリン又はディーゼルを使用することができる。この方法において、航空機は、より大量の航空燃料の燃焼によって発生される略同一のレベルのエネルギーを発生するためにより少ない一般的なガソリン又はディーゼルを実行することができる。これは、航空機の積載効率を改善し、操作的な維持のためのコストを著しく低減する。
【００２３】
（３）．本発明のターボ過給機を備えた空気圧縮機によって発生される高圧の空気流は、すぐに外部に排出されず、代わりに航空機の圧力室内に排出され、圧力室内に高温且つ高圧のガスを発生される。従って、圧力室は、排出された空気流のために緩衝域として使用されることができ、排出された空気流の流速の安定性を改善し、航空機の操作を容易にする。圧縮空気の排出方向及び圧縮空気の流速は、一般的に使用される工業用の空気圧縮機及び空気作動装置のように、低コストで便利に制御されることができる。これは、航空機の操作性の利便性を与え、自動車のようにジェット型の航空機を製造することができ、便利な方法で垂直方向に離陸／着陸するために一般人によって操作されることができる。
【００２４】
（４）．圧力室が燃焼室の後方にあるので、燃焼室内の燃料の爆発燃焼によって生み出される雑音は、圧力室内の高圧のガス及び外部に拡散することなく主吸気路を通過する高密度且つ高圧の空気流によって分離され、且つ吸収されることができる。飛翔体用の空気圧縮型エンジンの操作中に、（自動車を操作するのと同じくらい静かな）比較的弱弱しい雑音は、吸気タービンによる吸気及びノズル部材による空気流の排出のために発生され、自動車のようにジェット型の有人の航空機を製造することが可能になり、市街地領域内に輸送することができる。
【産業上の利用可能性】
【００２５】
従来の技術と比較して、本発明の空気圧縮機型の飛翔体用のエンジンは、重要な実質的な特徴を有し、注目すべき進歩を示す。従来の飛翔体用のジェットエンジンと比較して、実質的に区別している特徴は、以下である：従来の飛翔体用のジェットエンジンによって排出された空気流の流速はとても大きい一方、空気流の圧力は十分高くはない。本発明の空気圧縮型の飛翔体用のエンジンは、とても高い圧力を除いて平均的な流速の状態で空気流を排出することができる。従来の飛翔体用のジェットエンジンは、比較的高い空気密度の低高度では問題なく動作可能である。航空機は比較的低い空気密度の高高度（例えば２００００ｍ）で飛行する場合には、動作効率は著しく低減し、最悪の場合には推進力が失われる。従来の航空機用のジェットエンジンは、効果的な推進力を発生するために大量の空気流を取り込む必要があるからである。しかしながら、空気圧縮型の飛翔体用のエンジンは、効果的な推進力を発生させるためのあまり多くない空気を取り込むことが必要であり、従って、空気濃度が低い（例えば、高度４００００ｍ程度の）高高度で操作されることができ、大気圏の縁部付近でさえ操作可能である。有利な技術的効果は明らかである。
【００２６】
そのような航空機（いわゆる“航空旅客機”）がうまく製造される場合において、我々が映画”ＳＴＡＲ  ＷＡＲ”で見られる（垂直方向に離陸／着陸することができ、市街地領域に輸送することができるような）ジェット航空機は、実現することができる。市街地の外観及び建築の様式は、それに応じて変化することができる。輸送（carriage）がそれらの年月における航空機によって置き換えられる状態のように、人々の社会全体は十分に変えることができる。
【００２７】
本発明は、航空機用の空気圧縮型エンジン及び自律航行型ロケット（self-employed rocket）を備え、（従来のスペースシャトル及び大きな推進力を有するキャリアーロケット（carrier rocket）のための製造コストよりも低く）一般的な民間ジェット航空機の製造コストと同程度に低い製造コストで製造可能であり、一般的な空港を利用して離陸／着陸可能であり、空気を取り込み、一般的なガソリンを燃焼させ、大気圏の境界へ飛行し、その後自律航行型ロケットを起動し宇宙空間に到達可能な、新しいタイプのスペースシャトルにも適用可能とされる。シャトルが宇宙空間から戻ってこようとしている場合に、ロケットに使用されるシャトル自体は最初に減速を開始され、且つ空気圧縮型の飛翔体用のエンジンは再始動され、ノズルは大気圏の縁部に達する場合に前方に移動するために制御されることができる。空気圧縮型の飛翔体用のエンジンは、空気を取り込み、且つ重力の引力を克服するために大きな推進力を発生するために一般的なガソリンを燃焼し、スペースシャトルの速度を減速し、長距離間を比較的遅い速度（亜音速）で大気圏内を飛行し且つ一般的な民間の空港に着陸するために一般的な民間の航空機のようにスペースシャトルを操作する。
【００２８】
シャトルが大気圏外に出るために加速し且つ大気圏に戻るために減速する場合には、新しいタイプのスペースシャトルによって使用されるロケットは短時間で簡単に操作可能である。従って、新しいタイプのスペースシャトルは、飛翔のために少量のロケット燃料及び酸素を有していれば良いので、スペースシャトルの積載量を向上させることができる。高速で大気圏中を移動した場合に数千度まで上昇する従来の宇宙カプセル（space capsule）とは異なり、シャトルが大気圏に突入した場合に航空機用の圧縮空気エンジンによって減速される新しいタイプのスペースシャトルは数千℃まで上昇しないので、従来の宇宙カプセルやスペースシャトルに備えられた重厚な断熱カバー（massiness heat insulation cover）は必要とされない。これによって、新しいタイプのスペースシャトルの積載量がさらに効果的に高められる一方で、その製造コストは低減される。
【００２９】
新しいタイプのスペースシャトルが空気を取り込むことによって、及び一般的なガソリンを燃焼することによって長距離間を比較的遅い速度（亜音速の速度）で大気圏内を飛行するために一般的な民間の航空機のように操作可能であるので、新しいタイプのスペースシャトルは、２４時間且つ全天候において一般的な民間の航空機のような民間の空港に着陸でき、それによって、宇宙飛行のためのコストをかなり減少することができる。
【００３０】
（低コスト且つ高い積載量である）空気圧縮型の航空機のエンジンを備える新しいタイプのスペースシャトルがうまく製造された場合に、宇宙空間の開拓は、民間の航空機に搭乗するように、安価且つ便利に宇宙空間へいくことができ、且つ宇宙空間から帰ることができる新しい段階に突入するだろう。
【発明を実施するための最良の形態】
【００３１】
本発明は、添付された図面に関係して好ましい実施形態によって議論されるべきである。
【００３２】
詳細な説明において、各構成要素は、それぞれ１つの参照符号によって表示される。参照符号１は、ターボ過給機を備えた空気圧縮機を参照する；参照符号２は、チタン合金のハウジングを参照する；参照符号３は、圧力室を参照する；参照符号４は、空気吸気ポートを参照する；参照符号５は、右前方のノズル部材を参照する；参照符号６は、左前方のノズル部材を参照する；参照符号７は、右後方のノズル部材を参照する；参照符号８は、左後方のノズル部材を参照する；参照符号９は、後方ノズル部材を参照する；参照符号１０は、吸気タービンを参照する；参照符号１１は、大型過給タービンを参照する；参照符号１２は、小型過給タービンを参照する；参照符号１３は、変速ギアボックスを参照する；参照符号１４は、空気流切替バルブ部材を参照する；参照符号１５は、燃料ノズルを参照する；参照符号１６は、後方伝達軸を参照する；参照符号１７は、断熱カバーを参照する；参照符号１８は、空気排出フェンスを参照する；参照符号１９は、空気排出フェンスの排気ポートを参照する；参照符号２０は、燃焼室を参照する；参照符号２１は、燃焼室の壁を参照する；参照符号２２は、１ｃｍの幅の主吸気路を参照する；参照符号２３は、０．２ｃｍの幅の副吸気路を参照する；参照符号２４は、シャッターバルブのスプールを参照する；参照符号２５は、前方駆動タービンを参照する；参照符号２６は、後方駆動タービンを参照する；参照符号２７は、後方駆動タービンのカバーを参照する；参照符号２８は、後方駆動タービンのカバーの吸気ポートを参照する；参照符号２９は、後方駆動タービンの排気ポートを参照する；参照符号３０は、調整バルブのスプールを参照する；参照符号３１は、調整バルブのシャフトを参照する；参照符号３２は、調整バルブの本体を参照する；参照符号３３は、調整バルブのシャフトのナットを参照する；参照符号３４は、駆動モータを参照する；参照符号３５は、前方伝達軸を参照する；参照符号３６は、右側のメイン中空ブラケットを参照する；参照符号３７は、空気流切替部材を参照する；参照符号３８は、下部ノズル部材の取り入れ通路を参照する；参照符号３９は、後部ノズルの取り入れ通路を参照する；参照符号４０は、下部ノズル部材を参照する；参照符号４１は、下部ノズル部材の小型ノズルを参照する；４２は、左側のメイン中空ブラケットを参照する。
【００３３】
図１及び図２に示されるように、吸気タービン１０は、吸気ポート４を介して外部空気を取り込む。吸気は、高圧の空気流の状態になるために大型過給タービン１１によって加圧され、空気の大部分が１ｃｍの幅の主吸気路２２を介して燃焼室２０に入いる一方、空気の残りが高圧の状態で空気流になるために小型過給タービン１２によってさらに加圧され、０．２ｃｍの幅の副吸気路２３のみを介して燃焼室２０に入り、且つ爆発燃焼のために燃料ノズル１５によって排気される霧状態の燃料とさらに混合される。燃焼ガスは、メイン取り込み口から流入した大量の空気とさらに混合され、空気中の酸素と共に燃え、その結果、燃焼室内の空気の温度が著しく増加し、それ故に高圧を引き起こす。排出フェンス１８の全ての排気ポート１９の全面積が主吸気路及び副吸気路の全面積よりもはるかに大きいので、且つ主吸気路及び副吸気路の長さが排出フェンス１８の厚さよりも大きいので、燃焼室内の高圧の空気は、排出フェンスの排気ポート１９を介して所定の角度で素早く排出され、前方駆動タービン２５を高速で回転するように駆動し、従って、伝達軸１６を回転するように駆動する。排出フェンス１８の排気ポート１９は、排出フェンス１８が排出される空気流をより効果的に前方駆動タービン２５上に作用させるために配置される平面に対して６０°で方向に方向づけられる。図３において、後方駆動タービンのカバー２７は、後方駆動タービン２６上に設けられ、カバーでは、後方駆動タービン２６のカバーの６個の吸気ポートを開口される。６個の吸気ポートの全面積は、排出フェンスの排気ポートの全面積に等しい。後方駆動タービンのカバーの吸気ポート２８から排出された空気流は、高速でタービン２６を回転するような最も効果的な角度で後方駆動タービン２６をさらに駆動し、後方駆動タービン２６の排気ポート２９を介して圧力室３に流入する。さらに、タービン２６は、後方伝達軸１６に力を作用し、且つ前方駆動タービン２５と協働して後方伝達軸１６を回転させる。そのような構成は、著しく上昇している燃焼室２０内で温度及び圧力を生じ、燃料の爆発燃焼によって発生する高速な空気流を最大限に前方駆動タービン２５及び後方駆動タービン２６上に作用し、その結果として、許容可能な最も高い圧力の圧縮空気がターボ過給機を備えた空気圧縮機によって圧力室３内に発生可能である。
【００３４】
図２において、変速ギアボックス１３によって設けられた移動手段によって、後方伝達軸１６は、前方伝達軸３５を後方伝達軸１６の回転速度を３倍早く回転させ、吸気タービン１０、大型過給タービン１１及び小型過給タービン１２を前方駆動タービン２５及び後方駆動タービン２６の回転速度より３倍早く回転させるように駆動する。それによって、十分な高圧状態で燃焼室２０に流入する空気流を生み出している。
【００３５】
図４において、燃焼室２０内の燃料排出部材は、３つのグループに分割された９個の燃料ノズル１５で構成され、各グループは、均等に離隔された３つの燃料ノズル１５を含む。燃料ノズル１５の３つのグループは、自動車の３つのギア位置に類似し、燃料ノズル１５の異なるグループの操作状態を変化することによって、且つ各排出ノズル１５によって燃料の量を制御することによって、操作者は、航空機の推進力及び速度を制御することができる。例えば、航空機が垂直方向に上昇する場合に最大の推進力が要求される場合、９個の燃料ノズル１５の３つのグループは、同時に燃料を噴出するように制御可能であり、各燃料ノズル１５は、最大の推進力を提供するように最大量の燃料を噴出することができる。航空機が水平に飛行する場合、単に３つの燃料ノズル１５の１つのグループは、燃料を噴出するように操作する必要があり、別の６個のノズル２つのグループは、燃料を節約するために閉じられることができる。操作された３つの燃料ノズルによって排出された燃料の量は、航空機の飛行速度を変えるために変化することができる。
【００３６】
主吸気路２２を通過している高圧の空気流は、高密度な空気バリアを形成し、その爆発燃焼の間に燃焼室２０内の燃料によって発生された大きな雑音を離隔し、且つ吸収する。圧力室３内の高圧のガスは、その爆発燃焼の間に燃焼室内の燃料によって発生される大きな雑音をさらに離隔し、且つ吸収する。これは、その爆発燃焼の間に燃焼室２０内の燃料によって発生される大きい雑音を外側に伝達することを妨げることに役立ち、従ってエンジンの操作中の雑音を最小限にすることができる。
【００３７】
主吸気路２２を通過している高圧の空気流は、燃焼室の壁の熱を取り除き、燃料の爆発燃焼によって発生されるエネルギーは効果的に使用される。主吸気路２２を通過している高圧の空気流は、爆発燃焼の後でガスと混合される。空気流内に含まれる大量の酸素は、未燃焼燃料の燃焼をさらに容易にする。酸素が十分であり、且つ空気流は比較的長い間に燃焼室２０及び圧力室３０内の高温及び高圧の環境に留まるので、燃料は最大の範囲にそのエネルギーを発生するように完全に燃焼されることができる。発生される熱は、燃焼室３において高圧のガスの温度及び圧力をさらに増加する。これは、燃料の燃焼を最適化するために有用であり、さらには、低い燃焼値を有する高価な航空燃料ではなく、（例えば、一般的に使用されるガソリン又はディーゼルのような）低コストだが高い燃焼値であるために燃焼が困難な燃料を使用可能とされる。この方法において、航空機は、より大量の航空燃料の燃焼によって発生されるような略同一レベルのエネルギーを発生するために一般的なガソリン又はディーゼルの量をより少量で実行することができる。これは、航空機の積載効率を改善し、エンジン操作の間に排出される排気ガスを減少させ、環境保護の役に立つ。
【００３８】
ノズルの全面積が後方駆動タービン２６の排気ポート２９の全面積よりも小さいので、排気ポート２９から排出された空気流は、圧力室３内で高圧のガスを形成し、非常に速い速度でノズル部材の開口部から排出され、従って、５００００Ｎから６００００Ｎの大きさの範囲の推進力を発生される。これは、垂直方向に離陸し、又は着陸し、且つ前方に飛行するために人々及び４トンから５トンの範囲の重量を運ぶための、小型の航空機を可能にする。圧力室３の形状は、航空機の底部及び尾部の形状に応じて修正することができる。圧力室の壁は、軽量且つ高剛性を特徴とする厚さ２ｃｍのチタニウムから成っているので、圧力室３は航空機の底部又は尾部の形状に形成されることができ、又は航空機のメイン支持フレームが（図８に示されるように）エンジンの圧力室の一部として使用されるための中空の構造に形成され、それにより製造材料及び航空機の重量を節約することができる。航空機が偶発的に墜落された場合において、圧力室３は保護のための壁として役立つこともできる。
【００３９】
図１に示されるように、飛翔体用の空気圧縮型エンジンには、４つのノズル部材（５，６，７，及び８）及び１つの後部ノズル部材９が設けられ、航空機の下方に配置される４つのノズル部材（５，６，７，及び８）は航空機の上昇／下降に役立ち、航空機の背後に配置される後部ノズル部材９の１つは航空機のために推進力を提供するのに役立つ。ノズル部材の開閉及びそのノズル部材を通過する空気流は、空気流切替バルブによって制御される。４つのノズル部材（５，６，７，及び８）は、厚さ２ｃｍのチタニウム製のチューブを介して圧力室３に接続され、ノズル部材のそれぞれには、１８０°に亘り前方／下方／後方にノズルを回転可能にし、且つノズルを僅かに左右に偏向可能にする回転制御部材をさらに設けている。空気流切替バルブは、ノズルを通過している流速を制御し、且つノズルバルブを開閉することが可能である。
【００４０】
空気圧縮型のエンジンを操作している間に、少なくとも２つの下部ノズル部材又は少なくとも１つの後部ノズル部材は、例えば、全てのノズルの閉鎖が任意の場合において厳重に禁止されるように、オン状態で保ち続けなければならない。
【００４１】
航空機が離陸しようとしている場合、４つの下部ノズル部材（５，６，７，及び８）は、開口され、下方に面している垂直方向に調整される。そのとき、エンジンはその後点火され、付随している空気流の流速は、航空機を安定して離陸させるために航空機の状態に応じて調整される。航空機は、５ｍ又はそれより高く地面より上方に上昇される場合に、４つの下部ノズル部材（５，６，７，及び８）の排出方向は、上方及び前方への合成力を発生し、且つ航空機が所定の角度で上方及び前方に飛行するように、後方へ回転させる。航空機が所望の高度に上昇する場合、４つの下部ノズル部材（５，６，７，及び８）の排出方向は、１８０°後方へ回転される。後部ノズル部材９は、徐々に開口される一方、４つの下部ノズル部材（５，６，７，及び８）は、航空機が水平飛行させるために徐々に閉鎖される。４つの下部ノズル部材（５，６，７，及び８）が完全に閉鎖されるとすぐに、後部ノズル９は、完全に開口され、その後操縦者は、一般的なジェット機型の航空機と同じようにその航空機を操作することができる。
【００４２】
航空機が着陸しようとしている場合、４つの下部ノズル部材（５，６，７，及び８）の排出方向は前方へ回転される。後部ノズル部材９は、徐々に閉鎖される一方、４つの下部ノズル部材（５，６，７，及び８）は徐々に開口される。４つの下部ノズル部材（５，６，７，及び８）が完全に開口されるとすぐに、後部ノズル部材９は、完全に閉鎖され、航空機が徐々に減速される。目的地を到着している場合、４つの下部ノズル部材（５，６，７，及び８）の排出方向は下方向に回転され、燃料の噴出量は、徐々に減少し、飛行機を低速で垂直方向に着陸させる。
【００４３】
図７に示されるように、矢印の方向は、空気流の流れを示し、空気流切替バルブ部材１４は、シャッターバルブ及び調整バルブから構成され、以下に特徴付けられる：
【００４４】
１．シャッターバルブのバルブスプール２４は、楔形状の部材であり、高圧の空気の吸気ポートがバルブスプールと通路の壁との間における熱的な収縮／膨脹の割合の差に起因して堅固に閉じられるという問題を解消することが可能である。バルブスプール２４が高圧の空気の吸気ポートの前方で遮断し、同一の面積は、高圧の空気の吸気ポートの面積より３分の１より大きいので、圧力室内の高圧の空気の圧力は調整バルブのバルブスプール３０上で直接作用せず、それによりバルブスプール３０が常に高圧の状態のままであるということを原因として、調整バルブのねじ部３２が損傷されることによって生じる高圧の空気の自動的な排出を防止する。
【００４５】
２．調整バルブのバルブスプール３０は、円錐台状部材であり、調整バルブのバルブシャフト３１の中間部に固定される。調整バルブの本体には、対応するシール面が設けられている。調整バルブのバルブシャフトの前部及び後部は、調整バルブのバルブ本体のねじ部に係合する。調整バルブのバルブシャフト３１には、密封ねじ部が設けられる。ノズルが開口されている場合、最初にシャッターバルブに結合された駆動モータ３４は、シャッターバルブのシャフトを上昇され始め、シャッターバルブを上方に移動した状態となり、最終的に高圧の空気のための吸気ポートを開口させる。その瞬間で、調整バルブのバルブシャフト３１に結合された駆動モータは、後方へ移動するために調整バルブのバルブシャフト３１を調整し始める。これは、高圧の空気流のための吸気ポート及びノズルを開口させ、その後、圧力室内の高圧の空気流は、ノズルから排出されることができる。調整バルブのバルブスプール３０が円錐台状部材であるので、バルブスプール３０の後方への移動長さは、高圧の圧力室から排出された高圧の空気の流速を決定することができ、それによってノズルから発生される推進力を制御することができる。
【００４６】
ノズルが閉鎖しようとする場合、最初に調整バルブのバルブシャフト３１に結合された駆動モータは、前方に移動しているバルブシャフト３１を駆動し始め、従って、高圧の空気のための吸気ポート及びノズルを閉鎖し、圧力室内の高圧の空気がノズルを介して排気されることを防止する。調整バルブのバルブスプール３０は、密封ねじ部と共に円筒状部材が前端部で設けられた円錐台状部材であり、調整バルブのバルブシャフト３１に固定され、通路のねじ部と共に締め付け可能である。その結果として、調整バルブのバルブスプール３０は、高圧の空気のための吸気ポートに確実に閉鎖可能とされる。
【００４７】
３．シャッターバルブのバルブシャフトのナット３３及び調整バルブのバルブシャフト３１のナットの両方は、排出している空気流を制御し、且つ調整するために駆動モータによって駆動される。
【００４８】
航空機を上昇／下降、減速、空中に浮遊、又は前後左右に低速で移動させる働きをする下部ノズル部材、及び航空機の前方への移動のための推進力を提供する働きをする後部ノズル部材は、実用的な要求による以下の方法で代替案として設計されることもできる。
【００４９】
図８において、航空機のメイン支持フレームは、中空から成り、従って、エンジンの圧力室の一部として形成され、２つの部分、すなわち中空の左側メイン支持フレーム４２及び中空の右側メイン支持フレーム３６に分割される。これにより、航空機の内部空間を効率的に使用可能となり、エンジンによって占有される内部容積は低減可能とされる。圧力室３は、中空の左側メイン支持フレーム４２に接続される。中空の右側メイン支持フレーム３６及び下部ノズル部材４０は、切替部材３７を介して中空の左側メイン支持フレームに順に接続される。中空の右側メイン支持フレーム３６の端部には、後部ノズル部材９が設けられる。切替部材３７は、中空の左側メイン支持フレーム４２及び後部ノズルの吸気路３９を通過して中空の右側メイン支持フレーム３６向かって流し、その後航空機を前方に飛行させるために後部ノズル９から排出されるように、圧力室内の高圧の空気流を制御することができる。さらに、圧力室内の高圧の空気流は、中空の左側メイン支持フレーム４２及び下部ノズル部材の吸気路３８を通過して下部ノズル部材４０に向けて流し、その後最終的に下部ノズルグループ４１から排出される。下部ノズルグループ４１に設けられている下部ノズル部材４０の平面は、下部ノズルグループ４１が全方位に空気流を排出することが可能であるように前後左右の方向に偏向可能であり、それにより航空機を離陸／着陸、減速、浮遊、又は低速で前後左右に移動するために駆動することができる。
【００５０】
図９に示されるように、下部ノズルグループで構成している複数の小型ノズル４１（例えば、実用的な要求に応じて変化可能な、一般的に４列に並べられた１６個のノズル）は、航空機の下方に排出された空気流の排出領域を拡大させるために下部排気部材４０の排出面内に設けられる。これは、航空機の下方に排出される空気流が地面に作用させる力を大幅に低減され減少し、さらに、上昇のための航空機の支持領域は格段に増加する。その結果として、航空機は、離陸／着陸又は浮遊時に比較的より簡単に操作でき、より安定することができる。
【００５１】
図８に示されるように、下部ノズル部材４０及び後部ノズル部材９の独創的な設計は、図１に示される４つのノズル部材（５，６，７，及び８）及び後部ノズル部材９の設計と比較した場合、操縦者が航空機を操作するためのより科学的且つより容易な方法を提供する。図８に示される設計方法によって、操縦者は、単に１つの切替部材３７を制御することによって航空機を離陸／着陸、減速、浮遊又は低速で前後左右に移動するように操作することができる。図１に示される設計では、操縦者は、４つの下部ノズル部材（５，６，７，及び８）及び後部ノズル部材９の５つの切替部材を同時に制御しなければならない。少なくとも１つのノズル部材が偶然的な事故を避けるためにオンの状態であることを確実にしなければならない。従って、図８における設計は、本発明を実施するためのより好ましい実施形態である。
【図面の簡単な説明】
【００５２】
【図１】空気圧縮型の航空機用のエンジンの構成を示す図である。
【図２】ターボ過給機を備えた空気圧縮機の構成を示す図である。
【図３】後方駆動タービンのカバーの断面を示す図である。
【図４】圧力室の底部の断面を示す図である。
【図５】燃焼室の底部の断面図を示す図である。
【図６】空気排出フェンスの断面図を示す図である。
【図７】空気流切替バルブの部分断面図を示す図である。
【図８】航空機用の空気圧縮型のエンジンの別の構成を示す図である。
【図９】下部排出ノズルの構成要素の排出インターフェースの構成を示す図である。
【符号の説明】
【００５３】
１  ターボ過給機を備えた空気圧縮機
２  チタン合金のハウジング
３  圧力室
４  空気取り入れ口
５  右前部ノズル部材
６  左前部ノズル部材
７  右後部ノズル部材
８  左後部ノズル部材
９  後部ノズル部材
１０  吸気タービン
１１  大型過給タービン
１２  小型過給タービン
１３  変速ギアボックス
１４  空気流切替バルブ部材
１５  燃料ノズル
１６  後方伝達軸
１７  断熱カバー
１８  空気排出フェンス
１９  空気排出フェンスの排気ポート
２０  燃焼室
２１  燃焼室の壁
２２  １ｃｍの幅の主吸気路
２３  ０．２ｃｍの幅の副吸気路
２４  シャッターバルブのスプール
２５  前方駆動タービン
２６  後方駆動タービン
２７  後方駆動タービンのカバー
２８  後方駆動タービンのカバーの吸気ポート
２９  後方駆動タービンの排気ポート
３０  調整バルブのスプール
３１  調整バルブのシャフト
３２  調整バルブの本体
３３  調整バルブのシャフトのナット
３４  駆動モータ
３５  前方伝達軸
３６  右側のメイン中空ブラケット
３７  空気流切替部材
３８  下部ノズル部材の取り入れ通路
３９  後部ノズルの取り入れ通路
４０  下部ノズル部材
４１  下部ノズル部材の小型ノズル
４２  左側のメイン中空ブラケット
【図１】
2008540983.tif 000003
【図２】
2008540983.tif 000004
【図３】
2008540983.tif 000005
【図４】
2008540983.tif 000006
【図５】
2008540983.tif 000007
【図６】
2008540983.tif 000008
【図７】
2008540983.tif 000009
【図８】
2008540983.tif 000010
【図９】
2008540983.tif 000011
【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
吸気ポート、ターボ過給機を備えた空気圧縮機、燃焼室、及び後部ノズルを備えている飛翔体用の空気圧縮型エンジンであって：
圧力室が、前方に飛行するための推進力を与えるための前記後部ノズルと前記燃焼室との間に配置され；
前記ターボ過給機を備えた空気圧縮機が、前方伝達軸に結合されている吸気圧縮タービン、大型過給圧縮タービン、及び小型過給圧縮タービンを含み、後方伝達軸に結合されている前方駆動タービン及び後方駆動タービンをさらに含み；
変速ケースが前記前方伝達軸と前記後方伝達軸との間に配置され、前記燃焼室が前記変速ケースの後方に配置され、ノズル部材が前記燃焼室の前端部に配置され；
前記吸気圧縮タービン及び前記大型過給圧縮タービンによって２段階に亘って加圧された後に、空気の大部分は主吸気路に流入する一方で、前記空気の残りは前記小型過給圧縮タービンによってさらに加圧された後に副吸気路に流入し；
前記副吸気路に流入した前記空気は、強力な爆発燃焼を生じさせるために前記燃焼室の前方部で燃料ノズルによって噴射された燃料と混合され、前記主吸気路に流入した空気は、前記燃焼室の後部で爆発燃焼している状態でガスに混合され、空気中の酸素は、残留した未燃焼燃料を容易に燃焼し；
爆発燃焼によって発生する高温高圧のガスは、前記前方駆動タービンを駆動し回転させるために排出フェンスの排気ポートを介して排気され、その後に、前記後方駆動タービンを駆動し回転させるために前記後方駆動タービンのカバーの吸気ポートを通過し、最後に圧力室に流入し；
前記前方駆動タービン及び前記後方駆動タービンの回転によって発生する大きなトルクは、前記後方伝達軸を介して前記変速ケースに作用し、前記前方伝達軸の回転速度を高めることによって、前記前方伝達軸に結合された前記吸気圧縮タービン、前記大型過給圧縮タービン、及び前記小型過給圧縮タービンを高速で回転させ、より多くの空気を吸気して、前記大型圧縮タービンは自身に設けられた伝達装置を介して回転速度をさらに増加させ、これにより高い圧力が発生し、吸気された空気は強制的に前記主吸気路及び前記副吸気路を通過され、前記燃焼室に流入され；
前記圧力室内に流入した高温高圧のガスは、航空機を前方に飛行させるために前記後部ノズル部材を介して排出可能とされるか、又は前記航空機を垂直方向に離陸／着陸させ、減速させ、空中に浮遊させ、又は低速で前後左右に移動させるために前記下部ノズル部材を介して排出可能とされることを特徴とする空気圧縮型エンジン。
【請求項２】
前記排出フェンスが前記燃焼室の底部に配置され、前記排出フェンスの前記排気ポートは、前記排出フェンスの平面に対して６０°の角度を成し、前記排出フェンスの前記排気ポートの全面積は、前記排出フェンスの面積の３分の１であり、それにより燃焼室内に発生する高温且つ高圧の空気流は、所定の角度で排出され、より効果的に前記前方駆動タービンに作用され；
高温に対する耐性を有する断熱材のカバーが前記後方伝達軸上に配置され、前記後方伝達軸が燃焼することを防止し、それにより前記後方伝達軸の動作寿命を延ばし；
タービンカバーが前記後方駆動タービン上に配置され、前記後方駆動タービンには６つの吸気ポートが開口され、６つの前記吸気ポートの全面積が前記排出フェンス上の前記排気ポートの全面積と等しく、前記後方駆動タービンの吸気ポートを介して排出される前記空気流は、前記後方駆動タービンをさらに回転駆動させ、前記後方駆動タービンの前記排気ポートを介して前記圧力室内に流入し；
この構成によって、前記燃焼室内の温度及び圧力が著しく大きくなり、燃料の爆発燃焼によって発生するエネルギーが最大限に前記前方駆動タービン及び前記後方駆動タービン上に作用し、それにより前記ターボ過給機を備えた空気圧縮機が前記圧力室内に最大圧力を発生させ、空気流が排出されることによって、より効率的に航空機を離陸／着陸及び飛行させるように駆動することを特徴とする請求項１に記載の空気圧縮型エンジン。
【請求項３】
前記航空機のメイン支持フレームは、中空であり、エンジンの前記圧力室の一部として形成され、２つの部分、すなわち中空の左側メイン支持フレーム及び中空の右側メイン支持フレームに分割され；
これにより前記航空機の内部空間を効率的に使用可能となり、前記エンジンによって占有される内部容積を低減可能とされ；
前記圧力室が中空の左側メイン支持フレームに接続され、中空の右側メイン支持フレーム及び下部ノズル部材が切替部材を介して前記中空の左側メイン支持フレームに接続され、後部ノズル部材が前記中空の右側メイン支持フレームの端部に設けられ；
前記切替部材は、前記中空の左側メイン支持フレームを通過して前記中空の右側メイン支持フレームに向かって流し、その後に前記航空機を前方に飛行させるために前記後部ノズルから排出されるように、前記圧力室内の高圧の空気流を制御するか、又は前記中空の左側メイン支持フレームを通過して前記下部ノズル部材に向かって流し、その後に前記下部ノズルグループから排出されるように、前記圧力室内の前記高圧の空気流を制御し；
前記下部ノズルグループを備えた前記下部ノズル部材の平面は、前記下部ノズルグループが全方位に前記空気流を排出可能となるように適切に前後左右の方向に偏向可能であり、それにより前記航空機を離陸／着陸、減速、浮遊、低速で前後左右に移動させるために駆動可能とされることを特徴とする請求項２に記載の空気圧縮型エンジン。
【請求項４】
下部ノズルグループから成る複数の小型ノズル（実際的要求に応じて変更可能な、一般に４列に配置された１６個のノズル）は、航空機の下方に排出された空気流の空気排出領域を拡大させるために前記下部排出部材の空気排出面内に設けられ；
この構成によって、前記航空機の前記下面に排出された前記空気流が地面に作用させる力は大幅に低減され、上昇するための航空機の支持領域は増加され、それにより離陸／着陸のプロセスの際の操縦が容易且つ安定化されることを特徴とする請求項３に記載の空気圧縮型のエンジン。
【請求項５】
右前部ノズル部材、左前部ノズル部材、右後部ノズル部材、及び左後部ノズル部材は、前記圧力室上に設けられ、
前記ノズル部材のそれぞれには、制御部及び空気流切替バルブを設けられ、
前記制御部は、１８０°に亘り前方、下方、及び後方に回転させ、且つ僅かに左右に偏向させるように前記ノズル部材を制御するために使用され；
前記後部ノズル部材は、前記航空機が前方に飛行することを可能とし、
４つの他のノズル部材によって発生される反力が、航空機を離陸／着陸、減速、浮遊、前後左右から低速で移動させることができることを特徴とする請求項２に記載の空気圧縮型のエンジン。
【請求項６】
前記空気流切替バルブは、シャッターバルブ及び調整バルブから成り：
前記シャッターバルブのバルブスプールは、楔状部材であり、前記高圧空気の吸気ポートが前記バルブスプールと通路の壁との間における熱的な収縮／膨張の割合の差に起因して堅固に閉じられるという問題を解消し；
前記バルブスプールが高圧空気の吸気ポートの前方を遮断し、前記バルブスプールの面積が高圧空気の吸気ポートの面積の３分の１よりも大きいので、前記圧力室内の高圧空気の圧力は調整バルブのバルブスプールには直接的に作用せず、それにより前記バルブスプールが常に高圧状態のままであるということを原因として、調整バルブのねじ部が損傷されることによって生じる高圧空気の自動的な排出を防止し；
前記調整バルブの前記バルブスプールは、円錐台状部材であり、前記調整バルブの前記バルブシャフトの中間部に固定され、前記調整バルブの前記バルブ本体は対応するシール面を備え、前記調整バルブの前記バルブシャフトの前部及び後部は前記調整バルブの前記バルブ本体のねじ部と係合し；
前記調整バルブの前記バルブシャフトは、密封ねじ部を備え、前記ノズルが閉鎖された場合に、前記調整バルブの前記バルブシャフトに結合された駆動モータは、前記バルブシャフトが前方へ移動するように駆動開始し、その後に高圧ガスのための吸気ポート及びノズルを閉鎖することにより、前記圧力室内の高圧空気が前記ノズルを通じて排出されることを防止し；
前記調整バルブの前記バルブスプールは、密封ねじ部を有する円筒状部材をその前端部に備えている円錐台状部材であり、前記調整バルブの前記バルブシャフトに固定され、且つ前記通路のねじ部と共に締め付け可能であり、その結果として前記調整バルブの前記バルブスプールは前記高圧空気のための吸気ポートを確実に閉鎖可能とされ；
前記シャッターバルブの前記バルブシャフトのナットと前記調整バルブの前記バルブシャフトのナットとの両方が、前記排出される空気流を制御及び調整するために前記駆動モータによって駆動されることを特徴とする請求項５に記載の空気圧縮型エンジン。
【手続補正２】
【補正対象書類名】明細書
【補正対象項目名】０００２
【補正方法】変更
【補正の内容】
【０００２】
現在における既知のタービンジェットエンジンは、吸気圧縮タービン（intake compressor turbine）によって吸気し、燃焼室内での航空燃料（aviation kerosene）の燃焼によって発生した熱によって、吸気された空気を暖め、暖められて膨脹した後に吸気された空気を後方に急速に排出し、その後反力を利用することにより、飛翔体を前方に飛行させることができる。そのようなエンジンにおいて、以下のような幾つかの不利点が存在する。
【手続補正３】
【補正対象書類名】明細書
【補正対象項目名】０００８
【補正方法】変更
【補正の内容】
【０００８】
上記の問題を解決するために、吸気ポート、ターボ過給機を備えた空気圧縮機、燃焼室、及び後部ノズルを備えている航空機用の空気圧縮型エンジンであって：圧力室が、前方に飛行するための推進力を与えるための前記後部ノズルと前記燃焼室との間に配置され；前記ターボ過給機を備えた空気圧縮機が、前方伝達軸に結合されている吸気圧縮タービン、大型過給圧縮タービン、及び小型過給圧縮タービンを含み、後方伝達軸に結合されている前方駆動タービン及び後方駆動タービンをさらに含み；変速ケースが前記前方伝達軸と前記後方伝達軸との間に配置され、前記燃焼室が前記変速ケースの後方に配置され、ノズル部材が前記燃焼室の前端部に配置され；前記吸気圧縮タービン及び前記大型過給圧縮タービンによって２段階に亘って加圧された後に、空気の大部分は主吸気路に流入する一方、空気の残りは小型過給圧縮タービンによってさらに加圧された後副吸気路に流入し；前記副吸気路に流入した空気は、強力な爆発燃焼を生じさせるために前記燃焼室の前方部で燃料ノズルによって噴射された燃料と混合され、前記主吸気路に流入した空気は、前記燃焼室の後部で爆発燃焼している状態でガスに混合され、空気中の酸素は、残留した未燃焼燃料を容易に燃焼し；爆発燃焼によって発生する高温且つ高圧のガスは、前記前方駆動タービンを駆動し回転させるために排出フェンスの排気ポートを介して排出され、その後に前記後方駆動タービンを駆動し回転させるための前記後方駆動タービンのカバーの吸気ポートを通過し、最後に圧力室に流入し、前記前方駆動タービン及び前記後方駆動タービンの回転によって発生する大きなトルクは、前記後方伝達軸を介して前記変速ケースに作用し、前記前方伝達軸の回転速度を高めることによって、前記前方伝達軸に結合された前記吸気圧縮タービン、前記大型過給圧縮タービン、及び前記小型過給圧縮タービンを高速で回転させ、より多くの空気を吸気して、前記大型圧縮タービンは自身に設けられた伝達装置を介して回転速度をさらに増加させ、これにより高い圧力を発生し、吸気された空気は強制的に前記主吸気路及び前記副吸気路を通過され、且つ前記燃焼室に流入され；前記圧力室内に流入した高温且つ高圧のガスは、航空機を前方に飛行させるために前記後部ノズル部材を介して排出可能とされることを特徴とする航空機用の空気圧縮型のエンジンである。
【手続補正４】
【補正対象書類名】明細書
【補正対象項目名】００１３
【補正方法】変更
【補正の内容】
【００１３】
後部ノズル部材が航空機の前方への移動のために推進力を提供する働きをしている状態で、航空機を上昇／下降、減速、空中での浮遊、及び前後左右に僅かに移動させるための推進力を提供している下部ノズル部材は、実用的要求に応じて後述している方法で、代替方法で設計されることができる。
【手続補正５】
【補正対象書類名】明細書
【補正対象項目名】００２１
【補正方法】変更
【補正の内容】
【００２１】
（１）．本発明のターボ過給機を備えた空気圧縮機の構造は、相当単純になり、吸気圧縮タービン、大型過給圧縮タービン、小型過給圧縮タービン、前方駆動タービン、後方駆動タービン、変速ケース、燃焼排出部材、燃料チャンバーの壁、空気排出フェンス、及び後方駆動タービンのカバーで構成される。それによって、飛翔体のための空気圧縮型エンジンの製造コストは低くなり、自動車のための一般的な内部燃焼エンジンのように単純で安価であり、航空機の大衆性を手助けする。
【手続補正６】
【補正対象書類名】明細書
【補正対象項目名】００２３
【補正方法】変更
【補正の内容】
【００２３】
（３）．本発明のターボ過給機を備えた空気圧縮機によって発生される高圧の空気流は、すぐに外部に排出されず、代わりに航空機の圧力室内に排出され、圧力室内に高温且つ高圧のガスを発生される。従って、圧力室は、排出された空気流のために緩衝域として使用されることができ、排出された空気流の流速の安定性を改善し、航空機の操作を容易にする。圧縮空気の排出方向及び圧縮空気の流速は、一般的に使用される空気圧縮機及び空気作動装置のように、低コストで便利に制御されることができる。これは、航空機の操作性の利便性を与え、自動車のようにジェット型の航空機を製造することができ、便利な方法で垂直方向に離陸／着陸するために一般人によって操作されることができる。
【手続補正７】
【補正対象書類名】明細書
【補正対象項目名】００２４
【補正方法】変更
【補正の内容】
【００２４】
（４）．圧力室が燃焼室の後方にあるので、燃焼室内の燃料の爆発燃焼によって生み出される雑音は、圧力室内の高圧のガス及び外部に拡散することなく主吸気路を通過する高密度且つ高圧の空気流によって分離され、且つ吸収されることができる。飛翔体用の空気圧縮型エンジンの操作中に、（自動車を操作するのと同じくらい静かな）比較的弱弱しい雑音は、吸気圧縮タービンによる吸気及びノズル部材による空気流の排出のために発生され、自動車のようにジェット型の有人の航空機を製造することが可能になり、市街地領域内に輸送することができる。
【手続補正８】
【補正対象書類名】明細書
【補正対象項目名】００３０
【補正方法】変更
【補正の内容】
【００３０】
（低コスト且つ高い積載量である）空気圧縮型の航空機のエンジンを備える新しいタイプのスペースシャトルがうまく製造された場合に、宇宙空間の開拓は、航空機に搭乗するように、安価且つ便利に宇宙空間へいくことができ、且つ宇宙空間から帰ることができる新しい段階に突入するだろう。
【手続補正９】
【補正対象書類名】明細書
【補正対象項目名】００３２
【補正方法】変更
【補正の内容】
【００３２】
詳細な説明において、各構成要素は、それぞれ１つの参照符号によって表示される。参照符号１は、ターボ過給機を備えた空気圧縮機を参照する；参照符号２は、チタン合金のハウジングを参照する；参照符号３は、圧力室を参照する；参照符号４は、空気吸気ポートを参照する；参照符号５は、右前方のノズル部材を参照する；参照符号６は、左前方のノズル部材を参照する；参照符号７は、右後方のノズル部材を参照する；参照符号８は、左後方のノズル部材を参照する；参照符号９は、後方ノズル部材を参照する；参照符号１０は、吸気圧縮タービンを参照する；参照符号１１は、大型過給圧縮タービンを参照する；参照符号１２は、小型過給圧縮タービンを参照する；参照符号１３は、調整可能な変速ケースを参照する；参照符号１４は、空気流切替バルブ部材を参照する；参照符号１５は、燃料ノズルを参照する；参照符号１６は、後方伝達軸を参照する；参照符号１７は、断熱カバーを参照する；参照符号１８は、空気排出フェンスを参照する；参照符号１９は、空気排出フェンスの排気ポートを参照する；参照符号２０は、燃焼室を参照する；参照符号２１は、燃焼室の壁を参照する；参照符号２２は、１ｃｍの幅の主吸気路を参照する；参照符号２３は、０．２ｃｍの幅の副吸気路を参照する；参照符号２４は、シャッターバルブのスプールを参照する；参照符号２５は、前方駆動タービンを参照する；参照符号２６は、後方駆動タービンを参照する；参照符号２７は、後方駆動タービンのカバーを参照する；参照符号２８は、後方駆動タービンのカバーの吸気ポートを参照する；参照符号２９は、後方駆動タービンの排気ポートを参照する；参照符号３０は、調整バルブのスプールを参照する；参照符号３１は、調整バルブのシャフトを参照する；参照符号３２は、調整バルブの本体を参照する；参照符号３３は、調整バルブのシャフトのナットを参照する；参照符号３４は、駆動モータを参照する；参照符号３５は、前方伝達軸を参照する；参照符号３６は、右側のメイン中空ブラケットを参照する；参照符号３７は、空気流切替部材を参照する；参照符号３８は、下部ノズル部材の取り入れ通路を参照する；参照符号３９は、後部ノズルの取り入れ通路を参照する；参照符号４０は、下部ノズル部材を参照する；参照符号４１は、下部ノズル部材の小型ノズルを参照する；４２は、左側のメイン中空ブラケットを参照する。
【手続補正１０】
【補正対象書類名】明細書
【補正対象項目名】００３３
【補正方法】変更
【補正の内容】
【００３３】
図１及び図２に示されるように、吸気圧縮タービン１０は、吸気ポート４を介して外部空気を取り込む。吸気は、高圧の空気流の状態になるために大型過給圧縮タービン１１によって加圧され、空気の大部分が１ｃｍの幅の主吸気路２２を介して燃焼室２０に入いる一方、空気の残りが高圧の状態で空気流になるために小型過給圧縮タービン１２によってさらに加圧され、０．２ｃｍの幅の副吸気路２３のみを介して燃焼室２０に入り、且つ爆発燃焼のために燃料ノズル１５によって排気される霧状態の燃料とさらに混合される。燃焼ガスは、メイン取り込み口から流入した大量の空気とさらに混合され、空気中の酸素と共に燃え、その結果、燃焼室内の空気の温度が著しく増加し、それ故に高圧を引き起こす。排出フェンス１８の全ての排気ポート１９の全面積が主吸気路及び副吸気路の全面積よりもはるかに大きいので、且つ主吸気路及び副吸気路の長さが排出フェンス１８の厚さよりも大きいので、燃焼室内の高圧の空気は、排出フェンスの排気ポート１９を介して所定の角度で素早く排出され、前方駆動タービン２５を高速で回転するように駆動し、従って、伝達軸１６を回転するように駆動する。排出フェンス１８の排気ポート１９は、排出フェンス１８が排出される空気流をより効果的に前方駆動タービン２５上に作用させるために配置される平面に対して６０°で方向に方向づけられる。図３において、後方駆動タービンのカバー２７は、後方駆動タービン２６上に設けられ、カバーでは、後方駆動タービン２６のカバーの６個の吸気ポートを開口される。６個の吸気ポートの全面積は、排出フェンスの排気ポートの全面積に等しい。後方駆動タービンのカバーの吸気ポート２８から排出された空気流は、高速でタービン２６を回転するような最も効果的な角度で後方駆動タービン２６をさらに駆動し、後方駆動タービン２６の排気ポート２９を介して圧力室３に流入する。さらに、タービン２６は、後方伝達軸１６に力を作用し、且つ前方駆動タービン２５と協働して後方伝達軸１６を回転させる。そのような構成は、著しく上昇している燃焼室２０内で温度及び圧力を生じ、燃料の爆発燃焼によって発生する高速な空気流を最大限に前方駆動タービン２５及び後方駆動タービン２６上に作用し、その結果として、許容可能な最も高い圧力の圧縮空気がターボ過給機を備えた空気圧縮機によって圧力室３内に発生可能である。
【手続補正１１】
【補正対象書類名】明細書
【補正対象項目名】００３４
【補正方法】変更
【補正の内容】
【００３４】
図２において、変速ケース１３によって設けられた移動手段によって、後方伝達軸１６は、前方伝達軸３５を後方伝達軸１６の回転速度を３倍早く回転させ、吸気圧縮タービン１０、大型過給圧縮タービン１１及び小型過給圧縮タービン１２を前方駆動タービン２５及び後方駆動タービン２６の回転速度より３倍早く回転させるように駆動する。前方伝達軸３５は、大型過給圧縮タービン１１の伝達装置を介して大型過給圧縮タービン１１の回転速度を増加し、大型過給圧縮タービン１１を前方駆動タービン２６の回転速度より５倍速い回転速度で回転させ、それによって、十分な高圧状態で燃焼室２０に流入する空気流を生み出している。
【手続補正１２】
【補正対象書類名】明細書
【補正対象項目名】００３８
【補正方法】変更
【補正の内容】
【００３８】
ノズルの全面積が後方駆動タービン２６の排気ポート２９の全面積よりも小さいので、排気ポート２９から排出された空気流は、圧力室３内で高圧のガスを形成し、非常に速い速度でノズル部材の開口部から排出され、従って、４００００Ｎから５００００Ｎの大きさの範囲の推進力を発生される。これは、垂直方向に離陸し、又は着陸し、且つ前方に飛行するために人々及び４トンから５トンの範囲の重量を運ぶための、小型の航空機を可能にする。圧力室３の形状は、航空機の底部及び尾部の形状に応じて修正することができる。圧力室の壁は、軽量且つ高剛性を特徴とする厚さ２ｃｍのチタニウムから成っているので、圧力室３は航空機の底部及び尾部の形状に形成されることができ、且つ航空機のメイン支持フレームが（図８に示されるように）エンジンの圧力室の一部として使用されるための中空の構造に形成され、それにより製造材料及び航空機の重量を節約することができる。航空機が偶発的に墜落された場合において、圧力室３は保護のための壁として役立つこともできる。
【国際調査報告】
2008540983.tif 000012
2008540983.tif 000013
2008540983.tif 000014
2008540983.tif 000015